(57)【要約】【課題】表示部と通信部とが近接して設けられても、無線通信装置と通信を行なう際に、表示部上の無線通信装置が検出されにくく、無線通信装置と自装置との通信によって生じる自装置の動作とは異なる自装置の動作が生じにくい受付装置等を提供できる。【解決手段】画像を表示するとともに、ユーザが接触することで画像に対応する操作を受け付ける表示部３２０と、近接場型の無線通信を行なう無線通信装置との間で通信を行なう通信部３３０と、表示部３２０と通信部３２０との間に少なくとも配され、表示部３２０が設けられる面から突出する突起部３１０ａと、を備える受付装置。【選択図】図３
2018182517.tif 000002
【特許請求の範囲】
【請求項１】
画像を表示するとともに、ユーザが接触することで画像に対応する操作を受け付ける表示部と、
近接場型の無線通信を行なう無線通信装置との間で通信を行なう通信部と、
前記表示部と前記通信部との間に少なくとも配され、当該表示部が設けられる面から突出する突起部と、
を備える受付装置。
【請求項２】
前記突起部は、前記表示部と前記通信部との間から、当該通信部の位置に延伸して形成されることを特徴とする請求項１に記載の受付装置。
【請求項３】
前記通信部の位置に延伸して形成される前記突起部は、前記表示部が設けられる面に対し、表示部側または当該表示部側とは逆側に傾斜する斜面を有することを特徴とする請求項２に記載の受付装置。
【請求項４】
前記突起部は、前記表示部と前記斜面との間に当該表示部が設けられる面と平行な面が設けられることを特徴とする請求項３に記載の受付装置。
【請求項５】
前記突起部は、発光部から発した光が被検出体により反射される際に生じる反射光を受光部で受光することで前記表示部上の被検出体の位置を検出する光検出部であることを特徴とする請求項１に記載の受付装置。
【請求項６】
前記表示部は矩形状であり、前記光検出部は、当該表示部の一辺に沿って１つ配されることを特徴とする請求項５に記載の受付装置。
【請求項７】
記録材に画像を形成する画像形成部と、
自装置に対するユーザの指示を受け付ける受付部と、
を備え、
前記受付部は、
画像を表示するとともに、ユーザが接触することで画像に対応する操作を受け付ける表示部と、
近接場型の無線通信を行なう無線通信装置との間で通信を行なう通信部と、
前記表示部と前記通信部との間に少なくとも配され、当該表示部が設けられる面から突出する突起部と、
を備える画像形成装置。
【発明の詳細な説明】
【技術分野】
【０００１】
本発明は、受付装置、画像形成装置に関する。
【背景技術】
【０００２】
自装置の動作をさせる情報を入力する入力部として、ボタンやスイッチ等の実体を有するキーであるハードウェアキーや、ソフトウェア制御により表示部に表示されるキーであるソフトウェアキーを、ユーザインタフェースに設ける場合がある。
一方、近年は、自装置の動作をさせる情報などを予め端末装置等の無線通信装置に設定しておき、無線通信装置との間で近接場型の無線通信（ＮＦＣ（Ｎｅａｒ Ｆｉｅｌｄ Ｃｏｍｍｕｎｉｃａｔｉｏｎ））を行なうことで、この情報の入力を受け付ける通信部をユーザインタフェースに設ける場合がある。
【０００３】
特許文献１には、装置本体と、この装置本体に対して変位可能に設けられた表示機構とが設けられる画像形成装置が開示されている。これは、表示機構の第１側縁、第２側縁に沿って延びる回転軸が設けられ、表示機構は、この回転軸を中心に回転して、装置本体に対する変位を行い、さらに、表示機構には、ユーザが有する携帯端末との通信（ＮＦＣ）を行うアンテナが設けられるものである。
【先行技術文献】
【特許文献】
【０００４】
【特許文献１】特開２０１６−２２１７６５号公報
【発明の概要】
【発明が解決しようとする課題】
【０００５】
表示部と通信部とは、ユーザの操作性の観点から、近接して設けることが好ましい。
しかしながら表示部と通信部とを近接して設けた場合、ユーザが無線通信装置を通信部にかざすことで通信を行なう際に、表示部上の無線通信装置を検出することがある。その結果、無線通信装置と自装置との通信によって生じる自装置の動作とは異なる自装置の動作が生じる場合がある。
本発明は、表示部と通信部とが近接して設けられても、無線通信装置と通信を行なう際に、表示部上の無線通信装置が検出されにくく、無線通信装置と自装置との通信によって生じる自装置の動作とは異なる自装置の動作が生じにくい受付装置等を提供する。
【課題を解決するための手段】
【０００６】
請求項１に記載の発明は、画像を表示するとともに、ユーザが接触することで画像に対応する操作を受け付ける表示部と、近接場型の無線通信を行なう無線通信装置との間で通信を行なう通信部と、前記表示部と前記通信部との間に少なくとも配され、当該表示部が設けられる面から突出する突起部と、を備える受付装置である。
請求項２に記載の発明は、前記突起部は、前記表示部と前記通信部との間から、当該通信部の位置に延伸して形成されることを特徴とする請求項１に記載の受付装置である。
請求項３に記載の発明は、前記通信部の位置に延伸して形成される前記突起部は、前記表示部が設けられる面に対し、表示部側または当該表示部側とは逆側に傾斜する斜面を有することを特徴とする請求項２に記載の受付装置である。
請求項４に記載の発明は、前記突起部は、前記表示部と前記斜面との間に当該表示部が設けられる面と平行な面が設けられることを特徴とする請求項３に記載の受付装置である。
請求項５に記載の発明は、前記突起部は、発光部から発した光が被検出体により反射される際に生じる反射光を受光部で受光することで前記表示部上の被検出体の位置を検出する光検出部であることを特徴とする請求項１に記載の受付装置である。
請求項６に記載の発明は、前記表示部は矩形状であり、前記光検出部は、当該表示部の一辺に沿って１つ配されることを特徴とする請求項５に記載の受付装置である。
請求項７に記載の発明は、記録材に画像を形成する画像形成部と、自装置に対するユーザの指示を受け付ける受付部と、を備え、前記受付部は、画像を表示するとともに、ユーザが接触することで画像に対応する操作を受け付ける表示部と、近接場型の無線通信を行なう無線通信装置との間で通信を行なう通信部と、前記表示部と前記通信部との間に少なくとも配され、当該表示部が設けられる面から突出する突起部と、を備える画像形成装置である。
【発明の効果】
【０００７】
請求項１の発明によれば、表示部と通信部とが近接して設けられても、表示部と通信部との間に突起部がない場合に比較して、無線通信装置と通信を行なう際に、無線通信装置が検出されにくく、無線通信装置と自装置との通信によって生じる自装置の動作とは異なる自装置の動作が生じにくい受付装置が提供できる。
請求項２の発明によれば、表示部上の無線通信装置がさらに検出されにくくなる。
請求項３の発明によれば、表示部上の無線通信装置がさらに検出されにくくなる。
請求項４の発明によれば、表示部上の無線通信装置がさらに検出されにくくなる。
請求項５の発明によれば、被検出体の位置をより簡易な方法により検出することができる。
請求項６の発明によれば、さらに簡易な構成で被検出体の検出ができるようになる。
請求項７の発明によれば、ユーザが通信部に対して操作をするときに、誤動作が生じにくい画像形成装置が提供できる。
【図面の簡単な説明】
【０００８】
【図１】本実施の形態に係る画像形成装置の外観図である。
【図２】本実施の形態に係る画像形成装置の内部構造を示す図である。
【図３】（ａ）は、第１の実施形態におけるユーザインタフェースを示した図である。（ｂ）は、（ａ）に示したユーザインタフェースのＩＩＩｂ−ＩＩＩｂ断面図である。
【図４】光検出部が被検出体を検出する方法について示した図である。
【図５】表示部に対して行なうユーザの操作の具体例を示した図である。
【図６】（ａ）は、第２の実施形態におけるユーザインタフェースを示した図である。（ｂ）は、（ａ）に示したユーザインタフェースのＶＩｂ−ＶＩｂ断面図である。
【図７】（ａ）は、第３の実施形態におけるユーザインタフェースを示した図である。（ｂ）は、（ａ）に示したユーザインタフェースのＶＩＩｂ−ＶＩＩｂ断面図である。（ｃ）は、（ａ）に示したユーザインタフェースのＶＩＩｂ−ＶＩＩｂ断面図の他の例を示したものである。
【図８】（ａ）は、第４の実施形態におけるユーザインタフェースを示した図である。（ｂ）は、（ａ）に示したユーザインタフェースのＶＩＩＩｂ−ＶＩＩＩｂ断面図である。（ｃ）は、（ａ）に示したユーザインタフェースのＶＩＩＩｂ−ＶＩＩＩｂ断面図の他の例を示したものである。
【図９】（ａ）は、第５の実施形態におけるユーザインタフェースを示した図である。（ｂ）は、（ａ）に示したユーザインタフェースのＩＸｂ−ＩＸｂ断面図である。
【図１０】制御装置の機能構成例を示したブロック図である。
【図１１】制御装置の動作について示したフローチャートである。
【発明を実施するための形態】
【０００９】
以下、添付図面を参照して、実施の形態について詳細に説明する。
【００１０】
＜画像形成装置１の全体構成の説明＞
図１は、本実施の形態に係る画像形成装置１の外観図である。図２は、本実施の形態に係る画像形成装置１の内部構造を示す図である。
画像形成装置１は、原稿の画像を読み取る画像読取装置１００と、記録材（以下、代表して「用紙」と記す場合もある。）上に画像を記録する画像記録装置２００と、を備えている。また画像形成装置１は、ユーザからの操作入力の受付けやユーザに対する各種情報の表示を行なうユーザインタフェース（ＵＩ）３００を備えている。さらに画像形成装置１は、画像形成装置１全体の動作を制御する制御装置５００を備える。
【００１１】
画像読取装置１００は、画像形成装置１の上部に配置され、画像記録装置２００は、画像読取装置１００の下側に配置され、制御装置５００を内蔵している。ユーザインタフェース３００は、画像形成装置１の上部の手前側、つまり画像読取装置１００の後述する画像読取部１１０の手前側に配置されている。
【００１２】
画像読取装置１００は、原稿の画像を読み取る画像読取部１１０と、この画像読取部１１０に原稿を搬送する原稿搬送部１２０と、を備えている。原稿搬送部１２０は、画像読取装置１００の上部に配置され、画像読取部１１０は、画像読取装置１００の下部に配置されている。
原稿搬送部１２０は、原稿を収容する原稿収容部１２１と、この原稿収容部１２１から搬送された原稿が排出される原稿排出部１２２とを有し、原稿収容部１２１から原稿排出部１２２へ原稿を搬送する。原稿搬送部１２０は、原稿自動送り装置（ＡＤＦ：Auto Document Feeder）とも呼ばれる。
【００１３】
画像記録装置２００は、用紙Ｐに画像を形成する画像形成部２０と、画像形成部２０に対して用紙Ｐを供給する用紙供給部６０と、画像形成部２０にて画像が形成された用紙Ｐを排出する用紙排出部７０と、画像形成部２０にて一方の面に画像が形成された用紙Ｐの表裏を反転させて再度画像形成部２０に向けて搬送する反転搬送部８０と、を備えている。
【００１４】
また、画像記録装置２００は、画像形成部２０、用紙供給部６０、用紙排出部７０、反転搬送部８０および制御装置５００を、直接的または間接的に支持する装置本体フレーム１１と、この装置本体フレーム１１に取り付けられて画像形成装置１の外面を形成する装置筐体１２と、を備えている。
装置本体フレーム１１は、画像形成装置１における横方向の一方の端部側で、内部に、切替ゲート７６、第１の排出ロール７７、搬送ロール７８および第２の排出ロール７９などを備えるとともに上下方向に伸びて、画像読取装置１００を支持する読取装置支持部１３を備えている。読取装置支持部１３は、装置本体フレーム１１における奥側の部位と協働して画像読取装置１００を支持する。
【００１５】
また、画像記録装置２００は、装置筐体１２の一部として、画像形成部２０の手前側に設けられるとともに、装置本体フレーム１１に対して開閉可能に装着されるフロントカバー１５を備えている。
ユーザは、フロントカバー１５を開くことで、画像形成部２０の中間転写ユニット３０やトナーカートリッジ２９Ｙ、２９Ｍ、２９Ｃ、２９Ｋを新しい物と取り替えることが可能となっている。
【００１６】
ユーザインタフェース３００は、自装置（画像形成装置１）に対するユーザの指示を受け付ける受付部（受付装置）の一例であり、詳しくは後述するが、光検出部や表示部を備える。そして表示部に表示される画面によりユーザに対し種々の情報を提供するとともに、表示部上をユーザが操作すると、その操作を光検出部が検出する。その結果、画像形成装置１に対しユーザが指示を入力することができる。
【００１７】
＜画像形成装置１の動作の説明＞
以上のように構成された画像形成装置１は、以下のように動作する。
例えば、ユーザは、画像形成装置１を使用して原稿のコピーを行なうことができる。即ち、画像読取装置１００によって読み取られた原稿の画像データを基に、画像記録装置２００により画像を用紙Ｐ上に形成することで原稿をコピーすることができる。またユーザは、通信回線に接続する図示しないパーソナルコンピュータ（ＰＣ）等から印刷のジョブを画像形成装置１に送信することでプリントを行なうことができる。即ち、通信回線を介して印刷のジョブを受信し、印刷のジョブに含まれる画像データを基に、画像記録装置２００により画像を用紙Ｐ上に形成することでプリントすることができる。さらにユーザは、ファクシミリの送受信を行なうことができる。即ち、画像読取装置１００によって読み取られた原稿の画像データを通信回線を介して送信できる。あるいはユーザは、原稿の画像データを保存することができる。即ち、原稿の画像データを画像形成装置１内部や通信回線に接続したＰＣに保存できる。
【００１８】
＜ユーザインタフェース３００の説明＞
［第１の実施形態］
まず第１の実施形態について説明を行なう。
図３（ａ）は、第１の実施形態におけるユーザインタフェース３００を示した図である。図３（ａ）は、ユーザインタフェース３００を上方から見た場合を示している。また図３（ｂ）は、図３（ａ）に示したユーザインタフェース３００のＩＩＩｂ−ＩＩＩｂ断面図である。
図３（ａ）で図示するように、ユーザインタフェース３００は、光学的に被検出体を検出する光検出部３１０と、画像を表示する表示部３２０と、無線通信を行なう通信部３３０とを備える。
【００１９】
光検出部３１０は、例えば、光学センシングバーとも言われ、被検出体の位置を検出する。ユーザがユーザインタフェース３００を操作しようとするときに、例えば、指によりタッチして操作するときは、光検出部３１０は、この指を被検出体として検出する。また光検出部３１０は、ユーザの指以外のものでもユーザインタフェース３００に対しタッチするものであれば、検出することができる。よって被検出体は、例えば、タッチペンなどであってもよい。
【００２０】
図４は、光検出部３１０が被検出体Ｔを検出する方法について示した図である。
図示するように光検出部３１０は、光を発する発光部３１１と、光を受光する受光部３１２とを備える。
発光部３１１は、ＬＥＤ（Light Emitting Diode）等を備え、赤外線等の光を出射する。
受光部３１２は、ＰＤ（Photodiode）等を備え、被検出体Ｔから反射された反射光を受光する。そしてこの反射光に応じた検出信号を出力する。
図示するように、発光部３１１と受光部３１２とは、交互に、かつ直線状に配列する。
【００２１】
この構成において、光検出部３１０は、発光部３１１から発した光が被検出体Ｔにより反射される際に生じる反射光を受光部３１２で受光することで表示部３２０上の被検出体Ｔの位置を検出することができる。なおこれは、光検出部３１０は、被検出体Ｔの縦横方向の位置である２次元的な位置を検出することができると言うこともできる。つまり被検出体Ｔの図中横方向の位置は、反射光を何れの受光部３１２で検出したかどうかによりわかる。また被検出体Ｔの図中縦方向の位置は、受光部３１２が受光する光の強度によりわかる。即ち、被検出体Ｔが光検出部３１０からより近いほど、受光部３１２で受光する光の強度はより大きくなる。一方、被検出体Ｔが光検出部３１０からより遠いほど、受光部３１２で受光する光の強度はより小さくなる。よって受光部３１２が受光する光の強度により、光検出部３１０と被検出体Ｔとの距離がわかるため、これから被検出体Ｔの図中縦方向の位置がわかる。さらに光検出部３１０は、被検出体Ｔが複数あってもそれぞれの被検出体Ｔを検出することができる。これによりいわゆるマルチタッチの検出を行なうことができる。
【００２２】
また図３（ｂ）に示すように、光検出部３１０は、ユーザインタフェース３００の表示部３２０が設けられる面に対し、突出する突起部３１０ａを有する。この突起部３１０ａには、図４に示した発光部３１１および受光部３１２が配される。発光部３１１から発した光のうちユーザインタフェース３００の表示部３２０が設けられる面に沿って進行するものが、被検出体Ｔに当たると反射されて反射光となる。そして被検出体Ｔからの反射光のうち表示部３２０が設けられる面に沿って進行するものは、受光部３１２により受光される。
【００２３】
表示部３２０は、例えば、液晶パネルであり、画像形成装置１に関する情報を画像として表示するとともに、ユーザが接触することで画像に対応する操作を受け付ける。なおここで「接触」とは、表示部３２０に被検出体Ｔが実際に触れる場合に限られるものではない。つまり表示部３２０に被検出体Ｔが近接した結果、実際には触れていなくても光検出部３１０が、被検出体Ｔからの反射光を検出し、これを被検出体Ｔが表示部３２０に接触したものとすることがある。よって本実施の形態で、「接触」とは、ユーザが表示部３２０に被検出体Ｔが実際に触れる場合のみならず、表示部３２０に被検出体Ｔが近接した結果、被検出体Ｔを検出する場合も含む。
図示するように、表示部３２０は矩形状であり、光検出部３１０は、表示部３２０の一辺に沿って１つ配される。ここでは、光検出部３１０は、表示部３２０の右辺に沿って配される。
【００２４】
図５は、表示部３２０に対して行なうユーザの操作の具体例を示した図である。
ここでは、表示部３２０には、画像形成装置１が備える機能を実行するためのアイコンＩの一覧が画像として表示されている。この画像は、いわゆるホーム画面である。またこのとき表示されているアイコンＩは、予め定められた処理に関連付けられており、選択されることでこの処理が実行される。
【００２５】
図示する例では、表示部３２０には、コピー、ファクス／インターネットファクス、スキャナ（メール送信）、ジョブフロー、どこでもプリント、らくらくファクス、スキャナ（ＰＣ保存）、スキャナ（ボックス保存）、メールのそれぞれの機能を表すアイコンＩが表示されている。
【００２６】
そしてユーザは、目的の機能を利用するためには、何れかのアイコンＩをタッチする操作を行なう。ユーザがアイコンＩをタッチすると、例えば、アイコンＩに関連付けられた機能に対応する設定画面が表示される。例えば、「コピー」のアイコンＩをタッチすると、原稿のコピーを行なうための設定画面として、コピーを行なう枚数、使用する用紙の選択、白黒／カラーの選択、拡大／縮小の設定を行なう画面が表示される。そして設定後、ユーザが、後述するスタートボタンを押下すると、実際のコピー動作が開始される。
【００２７】
またユーザが何れかのアイコンＩをドラッグする操作を行なうと、そのアイコンＩを移動する操作となる。例えば、ユーザが、「らくらくファクス」のアイコンＩを点線で図示した箇所に移動したいときは、このアイコンＩをドラッグすればよい。
【００２８】
また表示部３２０には、画面を縦方向にスクロールさせるためのスクロールバーＳ１と、画面を横方向にスクロールさせるためのスクロールバーＳ２とが表示されている。
この場合、ユーザがスクロールバーＳ１やスクロールバーＳ２に備えられた▲マークをタッチすると、▲マークが示す方向に画面をスクロールさせることができる。またユーザがスクロールバーＳ１に備えられたスクロールボタンＢ１やスクロールバーＳ２に備えられたスクロールボタンＢ２をドラッグすることで移動させると、移動させた方向に画面をスクロールさせることができる。画面をスクロールさせることで、一画面で表示しきれない画面を表示させることができる。
【００２９】
通信部３３０は、近接場型の無線通信を行なう無線通信装置Ｍとの間で通信を行なう。
近接場型の無線通信（ＮＦＣ（Ｎｅａｒ Ｆｉｅｌｄ Ｃｏｍｍｕｎｉｃａｔｉｏｎ））は、例えば、通信距離が約１０ｃｍに限定された無線通信の規格である。なお本実施の形態で、近接場型の無線通信とは、到達距離の短い無線通信である近距離無線通信全般のことを言い、その規格などは問わない。
また無線通信装置Ｍは、ＮＦＣによる無線通信を行なうことができる装置であれば特に限られるものではなく、例えば、スマートフォンやタブレットなどの端末装置である。
そしてユーザが、無線通信装置Ｍを通信部３３０の上でかざしたりタッチをすると、無線通信装置Ｍと通信部３３０との間で自動的にＮＦＣ通信が行なわれる。なお図３（ａ）では、無線通信装置Ｍのかざす位置の例を一点鎖線で図示している。
これによりユーザは、画像形成条件など画像形成装置１で処理を行なうための処理条件を予め無線通信装置Ｍに記憶させておく。そしてＮＦＣ通信を行ない、この処理条件を通信部３３０を介して入力することができる。
【００３０】
表示部３２０と通信部３３０とは、ユーザの操作性の観点から、近接して設けることが好ましい。
しかし表示部３２０と通信部３３０とが近接して設けられた場合、ユーザが無線通信装置Ｍを通信部３３０にかざす際に、無線通信装置Ｍが表示部３２０に接触することがある。その結果、例えば、何れかのアイコンＩをユーザがタッチしたと判断され、その結果、無線通信装置Ｍと自装置（画像形成装置１）との通信によって生じる自装置の動作とは異なる自装置の動作が生じる。
そこで本実施の形態では、図３（ａ）に示すように、表示部３２０と通信部３３０との間に光検出部３１０を配置する。これにより表示部３２０と通信部３３０との間に突起部３１０ａが配される構成となる。
光検出部３１０による突起部３１０ａを設けると、ユーザが無線通信装置Ｍを通信部３３０にかざす際に、無線通信装置Ｍが表示部３２０に接触する前に突起部３１０ａに接触しやすくなる。そのため無線通信装置Ｍが表示部３２０に接触しにくくなり、無線通信装置Ｍが光検出部３１０により検出されにくくなる。その結果、無線通信装置Ｍと自装置（画像形成装置１）との通信によって生じる自装置の動作とは異なる自装置の動作が生じにくくなる。
【００３１】
［第２の実施形態］
次に第２の実施形態について説明を行なう。
図６（ａ）は、第２の実施形態におけるユーザインタフェース３００を示した図である。また図６（ｂ）は、図６（ａ）に示したユーザインタフェース３００のＶＩｂ−ＶＩｂ断面図である。
【００３２】
図６（ａ）で図示するユーザインタフェース３００は、図３（ａ）で図示したユーザインタフェース３００と同様に、光検出部３１０と、表示部３２０と、通信部３３０とを備える。そして光検出部３１０、表示部３２０、および通信部３３０の上方から見た配置は、双方とも同じである。
【００３３】
一方、図６（ｂ）と図３（ｂ）とを比較すると、ユーザインタフェース３００は、光検出部３１０に設けられる突起部３１０ａが、表示部３２０と通信部３３０との間から、通信部３３０の位置に延伸して形成される。つまり光検出部３１０に設けられる突起部３１０ａは、図３（ｂ）に示すように、表示部３２０と通信部３３０との間に位置するが、この突起部３１０ａは、さらに通信部３３０の位置にも連続して設けられる。ここでは突起部３１０ａの上面Ｊは、表示部３２０が設けられる面Ｈと平行な面としている。なお「平行」とは、厳密に平行である場合に限られるものではなく、ほぼ平行であればよい。
【００３４】
これによりユーザが無線通信装置Ｍを通信部３３０にかざす際に、突起部３１０ａの上面Ｊに対しかざすことになる。そしてこの場合、無線通信装置Ｍと表示部３２０との間の距離は、図３（ｂ）の場合よりもさらに大きくなる。その結果、ユーザが無線通信装置Ｍを通信部３３０にかざす際に、無線通信装置Ｍが表示部３２０にさらに接触しにくくなる。
【００３５】
［第３の実施形態］
次に第３の実施形態について説明を行なう。
図７（ａ）は、第３の実施形態におけるユーザインタフェース３００を示した図である。また図７（ｂ）は、図７（ａ）に示したユーザインタフェース３００のＶＩＩｂ−ＶＩＩｂ断面図である。さらに図７（ｃ）は、図７（ａ）に示したユーザインタフェース３００のＶＩＩｂ−ＶＩＩｂ断面図の他の例を示したものである。
【００３６】
図７（ａ）で図示するユーザインタフェース３００は、図６（ａ）で図示したユーザインタフェース３００と同様に、光検出部３１０と、表示部３２０と、通信部３３０とを備える。そして光検出部３１０、表示部３２０、および通信部３３０の上方から見た配置は、双方とも同じである。
【００３７】
また図７（ｂ）と図６（ｂ）とを比較すると、双方とも突起部３１０ａが、表示部３２０と通信部３３０との間から、通信部３３０の位置に延伸して形成される。
一方、図７（ｂ）で示すように、本実施の形態のユーザインタフェース３００は、図６（ｂ）のものに対し、通信部３３０の位置に延伸して形成される突起部３１０ａは、表示部３２０が設けられる面Ｈに対し、表示部３２０側に傾斜する斜面を有する点で異なる。即ち、通信部３３０の位置における突起部３１０ａの上面Ｊが表示部３２０側に傾斜する斜面となっている。
【００３８】
また図７（ｃ）で示すユーザインタフェース３００は、図６（ｂ）のものに対し、突起部３１０ａが、表示部３２０が設けられる面Ｈに対し、表示部３２０側とは逆側に傾斜する斜面を有する。即ち、通信部３３０の位置における突起部３１０ａの上面Ｊが表示部３２０側とは逆側に傾斜する斜面となっている。
【００３９】
このように通信部３３０の位置における突起部３１０ａの上面Ｊを斜面とすることで、ユーザが無線通信装置Ｍを通信部３３０にかざす際に、斜面に向かってかざそうとするため、無線通信装置Ｍが表示部３２０にさらに接触しにくくなる。
【００４０】
［第４の実施形態］
次に第４の実施形態について説明を行なう。
図８（ａ）は、第４の実施形態におけるユーザインタフェース３００を示した図である。また図８（ｂ）は、図８（ａ）に示したユーザインタフェース３００のＶＩＩＩｂ−ＶＩＩＩｂ断面図である。さらに図８（ｃ）は、図８（ａ）に示したユーザインタフェース３００のＶＩＩＩｂ−ＶＩＩＩｂ断面図の他の例を示したものである。
【００４１】
図８（ａ）で図示するユーザインタフェース３００は、図７（ａ）で図示したユーザインタフェース３００と同様に、光検出部３１０と、表示部３２０と、通信部３３０とを備える。そして光検出部３１０、表示部３２０、および通信部３３０の上方から見た配置は、双方とも同じである。
【００４２】
また図８（ｂ）と図７（ｂ）とを比較すると、双方とも突起部３１０ａが、表示部３２０と通信部３３０との間から、通信部３３０の位置に延伸して形成される。さらに通信部３３０の位置に延伸して形成される突起部３１０ａが、表示部３２０が設けられる面Ｈに対し、表示部３２０側に傾斜する斜面を有する。
ただし、図７（ｂ）では、表示部３２０と通信部３３０との間から、通信部３３０の位置にかけて連続して全て斜面となっているのに対し、図８（ｂ）では、斜面は、突起部３１０ａの上面Ｊの一部である上面Ｊ１に形成される。そしてこの上面Ｊ１は、通信部３３０の位置である。そして表示部３２０と斜面との間に表示部３２０が設けられる面Ｈと平行な面が設けられる。この平行な面は、突起部３１０ａの上面Ｊの一部であり、表示部３２０と上面Ｊ１（通信部３３０の位置）との間である上面Ｊ２に形成される。
【００４３】
また図８（ｃ）で示すユーザインタフェース３００は、突起部３１０ａが、表示部３２０が設けられる面Ｈに対し、表示部３２０側とは逆側に傾斜する斜面を有する場合である。この場合も、斜面は、突起部３１０ａの上面Ｊの一部である上面Ｊ１に形成される。そしてこの上面Ｊ１は、通信部３３０の位置である。そして表示部３２０と斜面との間に表示部３２０が設けられる面Ｈと平行な面が設けられる。この平行な面は、突起部３１０ａの上面Ｊの一部であり、表示部３２０と上面Ｊ１（通信部３３０の位置）の間である上面Ｊ２に形成される。
【００４４】
図８の場合も、図７で説明した場合と同様に、ユーザが無線通信装置Ｍを通信部３３０にかざす際に、斜面に向かってかざそうとするため、無線通信装置Ｍが表示部３２０にさらに接触しにくくなる。
【００４５】
［第５の実施形態］
また上述した例では、光検出部３１０は、表示部３２０と通信部３３０との間に設けられていたが、これに限られるものではない。
図９（ａ）は、第５の実施形態におけるユーザインタフェース３００を示した図である。また図９（ｂ）は、図９（ａ）に示したユーザインタフェース３００のＩＸｂ−ＩＸｂ断面図である。
【００４６】
図９（ａ）で図示するユーザインタフェース３００は、図３（ａ）で図示したユーザインタフェース３００と同様に、光検出部３１０と、表示部３２０と、通信部３３０とを備える。
【００４７】
ただし図９（ａ）で示すユーザインタフェース３００は、光検出部３１０が、表示部３２０の上辺に沿って配される。そして図９（ａ）では、図３（ａ）の光検出部３１０の位置に、突起部３４０が配される。
この突起部３４０は、表示部３２０が設けられる面に対し、突出するものであればよく、例えば、樹脂等により成型することで設けることができる。
【００４８】
突起部３４０を設けることで、ユーザが無線通信装置Ｍを通信部３３０にかざす際に、無線通信装置Ｍが表示部３２０に接触しにくくなり、無線通信装置Ｍが光検出部３１０により検出されにくくなる。その結果、無線通信装置Ｍと自装置（画像形成装置１）との通信によって生じる自装置の動作とは異なる自装置の動作が生じにくくなる。
【００４９】
なお第５の実施形態の場合でも、第２の実施形態〜第４の実施形態を適用することができる。
【００５０】
＜制御装置５００の説明＞
図１０は、制御装置５００の機能構成例を示したブロック図である。なお図１０では、制御装置５００が有する種々の機能のうち本実施の形態に関係するものを選択して図示している。
図示するように本実施の形態の制御装置５００は、検出信号取得部５１０と、位置検出部５２０と、操作判断部５３０と、通信送受信部５４０と、動作制御部５５０とを備える。
【００５１】
検出信号取得部５１０は、光検出部３１０から検出信号を取得する。この検出信号には、被検出体からの反射光を受光した受光部３１２の位置や、受光部３１２が受光した光の強度の情報が含まれる。
【００５２】
位置検出部５２０は、検出信号取得部５１０が取得した検出信号を基に、被検出体の位置を求める。これは図４で説明したように、何れの受光部３１２で検出したかの情報と、受光部３１２が受光する光の強度により求めることができる。
【００５３】
操作判断部５３０は、位置検出部５２０が求めた位置を基に、ユーザの操作を判断する。即ち、操作判断部５３０は、上述したように、位置検出部５２０が求めた位置により、ユーザの操作として、例えば、タッチ、ドラッグ、スワイプなどが行われたか否かを判断する。
【００５４】
通信送受信部５４０は、通信部３３０を介して無線通信装置Ｍとの間で情報の送受信を行なう。これにより通信送受信部５４０は、画像形成条件など画像形成装置１で処理を行なうための処理条件を受信することができる。この処理条件は、無線通信装置Ｍから通信を確立するための情報（例えば、画像形成装置１のＭＡＣアドレス（Media Access Control address）、画像形成装置１のＩＰアドレス（Internet Protocol address）、ＳＳＩＤ（Service Set Identifier））、印刷する画像データなどである。
【００５５】
動作制御部５５０は、位置検出部５２０が判断した被検出体の位置、操作判断部５３０で判断されたユーザの操作、および通信送受信部５４０で受信した処理条件に基づき制御信号を出力し、画像形成装置１の動作を制御する。例えば、表示部３２０において、ユーザが、「コピー」のアイコンＩをタッチしたと判断された場合、コピーの設定を行なう画面が表示される。コピーの設定は、通信送受信部５４０で受信した処理条件を基に決められる。そしてさらに、ユーザが図示しないスタートボタンをタッチしたと判断された場合、実際のコピー動作が開始される。
【００５６】
図１１は、制御装置５００の動作について示したフローチャートである。
【００５７】
まず検出信号取得部５１０が、光検出部３１０から検出信号を取得する（ステップ１０１）。
次に位置検出部５２０が、この検出信号を基に、被検出体の位置を求める（ステップ１０２）。
【００５８】
そして操作判断部５３０が、位置検出部５２０が求めた位置を基に、ユーザの操作を判断する（ステップ１０３）。
【００５９】
また通信送受信部５４０は、通信部３３０を介して無線通信装置Ｍとの間で情報の送受信を行ない、画像形成装置１で処理を行なうための処理条件を受信する（ステップ１０４）。
【００６０】
そして動作制御部５５０が、位置検出部５２０が判断した被検出体の位置、操作判断部５３０で判断されたユーザの操作、および通信送受信部５４０で受信した処理条件に基づき、ユーザの入力した指示を判断する（ステップ１０５）。
さらに動作制御部５５０は、ユーザの入力した指示に従い、画像形成装置１の動作を制御する（ステップ１０６）。
【００６１】
なお上述した例では、画像形成装置１を例に取り説明を行なったが、これに限られるものではなく、光検出部３１０および通信部３３０を使用する装置であれば、適用が可能である。
【００６２】
また上述した例では、光検出部３１０によりユーザの指などの被検出体を検出したが、光検出部３１０を設けず、表示部３２０をタッチパネルとしてもよい。
【００６３】
なおここでタッチパネルとは、液晶パネルのような表示部に位置検出部を組み合わせたものである。そして表示部にユーザの指等の被検出体Ｔが接触すると、位置検出部は、被検出体Ｔが表示部に接触した位置を検出する。これによりユーザは、表示部に表示される画面をタッチすることで装置の操作を行なうことができる。タッチパネルは、特に限定されるものではなく、抵抗膜方式や静電容量方式など種々の方式のものを使用することができる。
【００６４】
表示部３２０がタッチパネルの場合でも、無線通信装置Ｍがタッチパネルに接触し、これにより無線通信装置Ｍと自装置（画像形成装置１）との通信によって生じる自装置の動作とは異なる自装置の動作が生じることがある。よって表示部３２０と通信部３３０との間に突起部を設けることで、ユーザが無線通信装置Ｍを通信部３３０にかざす際に、無線通信装置Ｍが表示部３２０に接触しにくくなり、無線通信装置Ｍが検出されにくくなる。その結果、無線通信装置Ｍと自装置との通信によって生じる自装置の動作とは異なる自装置の動作が生じにくくなる。なおタッチパネルが静電容量方式の場合は、表示部３２０上の無線通信装置Ｍは検出されにくく、抵抗膜方式の場合の方が検出されやすい。よって表示部３２０が抵抗膜方式のタッチパネルの場合に特に有効である。
また表示部３２０がタッチパネルの場合、光検出部３１０は不要であるため、突起部としては、第１の実施形態〜第４の実施形態では、光検出部３１０の突起部３１０ａの代わりに、第５の実施形態の突起部３４０を配置する。
【００６５】
また上述した例では、画像形成装置１は、光検出部３１０と制御装置５００とを備える検出装置として捉えることができるが、制御装置５００の機能を光検出部３１０やユーザインタフェース３００に内蔵させてもよい。この場合、光検出部３１０やユーザインタフェース３００が検出装置となる。
【符号の説明】
【００６６】
１…画像形成装置、２０…画像形成部、１００…画像読取装置、２００…画像記録装置、３００…ユーザインタフェース、３１０…光検出部、３２０…表示部、３３０…通信部、３１０ａ、３４０…突起部、５００…制御装置、５１０…検出信号取得部、５２０…位置検出部、５３０…操作判断部、５４０…通信送受信部、５５０…動作制御部
【図１】
2018182517.tif 000003
【図２】
2018182517.tif 000004
【図３】
2018182517.tif 000005
【図４】
2018182517.tif 000006
【図５】
2018182517.tif 000007
【図６】
2018182517.tif 000008
【図７】
2018182517.tif 000009
【図８】
2018182517.tif 000010
【図９】
2018182517.tif 000011
【図１０】
2018182517.tif 000012
【図１１】
2018182517.tif 000013